(57)【要約】【課題】簡単な構成で、収納物が重い場合や包装箱が大きな場合、収納物が複数段重ねて収納されていた場合であっても、収納物を容易に取り出すことができる包装箱を提供する。【解決手段】それぞれ外フラップ１９，２３を備えた対向する一対の第１側壁１２，１４と、それぞれ内フラップ１７，２１を備え、前記一対の第１側壁の対向方向に直交する方向に対向する一対の第２側壁１１，１３とを備え、前記対向する内フラップの上に前記外フラップが折り重ねられて底面とされる包装箱であって、内フラップの対向する一対の辺は、隙間２０１を空けて配置されており、外フラップは、前記内フラップ間の前記隙間に面する位置に、前記外フラップの一部を切り込んで形成された押し込みピース１を有することを特徴とする包装箱。【選択図】図２
2015229507.tif 000002
【特許請求の範囲】
【請求項１】
それぞれ外フラップを備えた対向する一対の第１側壁と、それぞれ内フラップを備え、前記一対の第１側壁の対向方向に直交する方向に対向する一対の第２側壁とを備え、前記対向する内フラップの上に前記外フラップが折り重ねられて底面とされる包装箱であって、
前記内フラップの対向する一対の辺は隙間を空けて配置されており、
前記外フラップは、前記内フラップ間の前記隙間に面する位置に、前記外フラップの一部を切り込んで形成された押し込みピースを有することを特徴とする包装箱。
【請求項２】
前記押し込みピースは、前記隙間に面する位置に、前記隙間の幅と等しい幅の領域を有することを特徴とする請求項１に記載の包装箱。
【請求項３】
前記外フラップは、可とう性を有する材質で形成されていることを特徴とする請求項２に記載の包装箱。
【請求項４】
前記押し込みピースは、立ち上がり部と、該立ち上がり部に連続する突起とからなり、前記突起は前記内フラップ間の前記隙間の幅よりも幅が広いことを特徴とする請求項１ないし３のいずれか一項に記載の包装箱。
【請求項５】
前記押し込みピースは、前記隙間の幅と等しい距離だけ離間し、外フラップから第１側壁に延びる２本の平行な切り込み線からなることを特徴とする請求項１ないし３のいずれか一項に記載の包装箱。
【請求項６】
それぞれ外フラップを備えた対向する一対の第１側壁と、それぞれ内フラップを備え、前記一対の第１側壁の対向方向に直交する方向に対向する一対の第２側壁とを備え、前記対向する内フラップの上に前記外フラップが折り重ねられて底面とされる包装箱のブランクシートであって、
前記内フラップの対向する一対の辺は隙間を空けて配置されており、
前記外フラップは、前記内フラップ間の前記隙間に面する位置に、前記外フラップの一部を切り込んで形成された押し込みピースを有することを特徴とする包装箱のブランクシート。
【発明の詳細な説明】
【技術分野】
【０００１】
本発明は、物品を収納するための包装箱およびそのブランクシートに関し、特に内部に物品を隙間なく収納する包装箱およびそのブランクシートに適用するものである。
【背景技術】
【０００２】
従来、直方体の段ボール箱等の包装箱の中に、複数の箱状の物を隙間なく詰めると、開口して収納物を取り出そうとするときに、指を入れる隙間がなく、大変に取り出しにくいという問題があった。さらに、収納物が複数段重ねて収納されている場合は、例えば、包装箱の上部に切り欠き等により指を入れる隙間を設けて上段の収納物は取り出せても、二段目以下の下段の収納物が取り出し難いという問題があった。
【０００３】
そこで、特許文献１には、包装箱の開口面と反対側の壁（底面）に切り込み線による押込片を予め形成しておき、この押込片を包装箱内部へ押し込むと、開口面から物品が蹴り出されるようにしたものが記載されている。
【先行技術文献】
【特許文献】
【０００４】
【特許文献１】特開２００３−１４６３２７号公報
【発明の概要】
【発明が解決しようとする課題】
【０００５】
しかしながら、内フラップと外フラップを折り重ねて底面とする段ボール箱の場合、特許文献１に記載の押込片は、内フラップ、外フラップの２枚が重なった位置に設けられており、外フラップの貫穴と内フラップの押込片との位置が一致しなければならない。一方で包装箱は収納物を隙間なく詰めるものなので、側壁が収納物によって押し広げられると、内フラップ、外フラップの位置が多少ずれてしまう。これらから、特許文献１に記載の押込片は、収納物の特性も考慮した外フラップの貫穴と内フラップの押込片との位置関係の厳密性が要求されるものである。また、内フラップと外フラップの２箇所に切り込みが必要となり、構成が複雑となる。
【０００６】
また、特許文献１に記載の押込片は、単に押し込まれた力によって揺動するだけのもので、折れ曲がった位置で固定されるものではない。したがって、箱の底面にある押込片に指を入れている間は、押込片は立ち上がり、収納物は蹴り出されるが、指を離してしまうと、押込片は元に戻ることとなる。包装箱自体が大きかったり、収納物の重さや大きさが片手では取り出しにくいなど、押込片を押しながら、一方の手で収納物を取り出すことができない場合がある。この場合、収納物を取り出すためには、押込片から指を離さなければならない。しかしながら、押込片から指を離すと押込片は、元の位置に戻るので、せっかく蹴り出された収納物が元の位置に戻ってしまい、取り出す際には、取り出しにくい状況は変わらないことになる。
【０００７】
すなわち、押込片は押し込まれた状態で固定されるものでないために、押込片から指を離すと、収納物が蹴り出された状態を維持することができない。  本発明はこのような問題に鑑みてなされたものであり、簡単な構成で、収納物が重い場合や包装箱が大きな場合、収納物が複数段重ねて収納されていた場合であっても、収納物を容易に取り出すことができる包装箱を提供することを課題とする。
【課題を解決するための手段】
【０００８】
本発明の包装箱は、それぞれ外フラップを備えた対向する一対の第１側壁と、それぞれ内フラップを備え、前記一対の第１側壁の対向方向に直交する方向に対向する一対の第２側壁とを備え、前記対向する内フラップの上に前記外フラップが折り重ねられて底面とされる包装箱であって、前記内フラップの対向する一対の辺は、隙間を空けて配置されており、前記外フラップは、前記内フラップ間の前記隙間に面する位置に、前記外フラップの一部を切り込んで形成された押し込みピースを有することを特徴とする。
【０００９】
このように、内フラップと外フラップとを折り重ねて底面とする段ボール箱においても、外フラップのみに押し込みピースを形成するだけでよく、簡単な構成である。仮に、収納物によって側壁が押し広げられたとしても、外フラップに押し込みピースがあるので、常に押込片の指が接する面が露出しており、押し込み作業に支障をきたさない。
【００１０】
また、前記押し込みピースは、前記隙間に面する位置に、前記隙間の幅と等しい幅の領域を有することにより、前記押し込みピースは、箱内部に押し込まれると、前記領域の幅方向の側辺がそれぞれ前記第１内フラップの対向する一対の辺と当接することで、摩擦力によって押し込まれた位置で止まる。したがって、押し込みピースから指を離しても元に戻ることなく、収納物を押し上げた状態を維持することができる。
【００１１】
前記外フラップは可とう性を有する材質であり、前記押し込みピースは、立ち上がり部と、該立ち上がり部に連続する突起とからなり、前記突起は前記内フラップ間の前記隙間の幅よりも幅が広いものであることが望ましい。
【００１２】
このような突起を有することにより、押し込みピースが元の位置に戻ろうとしても、突起が楔となって戻れないので、より確実に押し込まれた状態を維持することができる。
【００１３】
前記押し込みピースは、前記隙間の幅と等しい距離だけ離間し、外フラップから第１側壁に延びる２本の平行な切り込み線からなるものであってもよい。
【００１４】
このようなステップ状の押し込みピースであれば、収納物と面接触するので、より安定して収納物を押し上げることができる。
【図面の簡単な説明】
【００１５】
【図１】本発明の第１の実施形態に係る包装箱の展開図である。
【図２】本発明の第１の実施形態に係る包装箱を底面から見た斜視図である。
【図３】本発明の第１の実施形態に係る包装箱の押し込みピース部分を拡大した平面図である。
【図４】本発明の第１の実施形態に係る包装箱の押し込みピースを押し込んだ状態を示す、箱内部から見た斜視図である。
【図５】押し込みピースを押し込んだ状態における収納物の状態を示す斜視図である。
【図６】本発明の第２の実施形態に係る包装箱の展開図である。
【図７】本発明の第２の実施形態に係る包装箱を底面から見た斜視図である。
【図８】本発明の第２の実施形態に係る包装箱の押し込みピース部分を示す側面図である。
【図９】本発明の第２の実施形態に係る包装箱の押し込みピースを押し込んだ状態を示す、箱内部から見た斜視図である。
【発明を実施するための形態】
【００１６】
本発明の包装箱を、段ボール製の組立て箱に応用した実施形態について説明する。なお、本発明は、このような実施形態のみに限らず、段ボールよりも厚みの薄い紙やプラスチックシート等で作られた包装箱など、内部に隙間なく物品を入れるものであれば、適用可能である。
【００１７】
図１は、本発明の第１の実施形態における包装箱のブランクシートの平面図である。
【００１８】
立方体、直方体などの箱形の物品を隙間なく複数個詰め込まれる包装箱は、第１の幅面１１、第１の長さ面１２、第２の幅面１３、第２の長さ面１４と、継ぎしろ１５とを具えている。
【００１９】
組立て状態において、第１の幅面１１と第２の幅面１３が向かい合い、第１の幅面１１の上方には、上部第1内フラップ１６がスコアＳ１を介してつながり、下方には、下部第１内フラップ１７がスコアＳ１１を介して繋がっている。第１の幅面１１は、第１の長さ面１２とクリーズＣ１を介して繋がっている。第１の長さ面１２の上方には、上部第１外フラップ１８がスコアＳ２を介してつながり、下方には、下部第１外フラップ１９がスコアＳ１２を介して繋がっている。第１の長さ面１２は、第２の幅面１３とクリーズＣ２を介して繋がっている。そして、第２の幅面１３の上方には、上部第２内フラップ２０がスコアＳ３を介してつながり、下方には、下部第２内フラップ２１がスコアＳ１３を介して繋がっている。第２の幅面１３は、第２の長さ面１４とクリーズＣ３を介して繋がっている。第２の長さ面１４の上方には、上部第２外フラップ２２がスコアＳ４を介してつながり、下方には、下部第２外フラップ２３がスコアＳ１４を介して繋がっている。
【００２０】
なお、フラップ１８、１９、２２、２３の短手方向の辺の長さ、すなわち、スコアＳ２、Ｓ１２、Ｓ４、Ｓ１４にそれぞれ直交する方向の辺の長さはそれぞれ、スコアＳ１、Ｓ１１、Ｓ３、Ｓ１３に沿った第１の幅面１１、第２の幅面１３の幅寸法の１／２に設定されている。これにより、包装箱１０を隙間なく閉じてその密封性を高めることができる。
【００２１】
第１の幅面１１と第２の長さ面１４とを接合するための継ぎしろ１５は、第２の長さ面１４にクリーズＣ４を介して繋がっている。
【００２２】
外フラップ１８、１９、２２、２３と、内フラップ１６、１７、２０、２１とのそれぞれ重なり合う部分は、接着剤によって接合されている。また、第１の幅面１１と継ぎしろ１５の重なり合う部分１１ａも接着剤等にて接合されている。本実施形態では、継ぎしろ１５を第１の幅面１１の内側に重ね合わせて、継ぎしろ１５が外部に露出しないようにしているが、継ぎしろ１５を第１の幅面１１の外側に重ね合わせて外部に露出するようにしてもよい。
【００２３】
なお、本実施形態では、各フラップおよび継ぎしろの接合に接着剤を用いたが、本発明は、これに限らず、テープ、ステープラ用つづり針など各種接合手段を用いた接合であってもよい。
【００２４】
次に、包装箱に収納された物品を取り出しやすくするための押し込みピースについて、第１の実施形態におけるものを説明する。
【００２５】
図１に示すように、下部第１外フラップ１９及び下部第２外フラップ２３には、スコアＳ１２、Ｓ１４から少し内側に入ったところに、押し込みピース１、１´が設けられている。
【００２６】
図２は、組み立てた包装箱を底面から見た斜視図であり、図３は、ブランクシートにおける押し込みピース部分を拡大した平面図である。図４は、押し込みピース１、１´を押し込んだ状態を示す、包装箱底面を箱内部から見た斜視図である。
【００２７】
以下、下部第１外フラップ１９に形成される押し込みピース１について説明するが、前記下部第２外フラップ２３に形成される押し込みピース１´についても、同様の形態を有するものである。
【００２８】
図２、図３に示すように、押し込みピース１は、下部第１外フラップ１９上の、スコアＳ１２から少し下部第１外フラップ１９の中央に寄った位置に、切り込み線１０１によって形成されている。スコアＳ１２から、５０〜６０ｍｍ、内側に入った位置が好ましい。具体的には、切り込み線１０１は、一方端（始端）１０１ａから立ち上がる一方側直線部１０１ｂ、一方側直線部１０１ｂに連続する曲線部１０１ｃ、曲線部１０１ｃの終端から切り込み線の他方端（終端）１０１ｅまで連続する他方側直線部１０１ｄとで構成されている。そして、押し込みピース１は、この切り込み線１０１の直線部１０１ｂ、１０１ｄによる立ち上がりと、曲線部１０１ｃとによるきのこ形の輪郭を有するものである。便宜上、押し込みピース１の直線部１０１ｂ、１０１ｄにより形成される部分を立ち上がり部１０２とし、曲線部１０１ｃで取り囲まれる部分を突起１０３とする。直線部１０１ｂ、１０１ｄの長さ、すなわち、立ち上がり部１０２の高さは、ほぼ内フラップ１７、２１の厚みに相当する。
【００２９】
図３に示すように、直線部１０１ｂ、１０１ｄ間（すなわち、立ち上がり部１０２）の幅ｌ１は、曲線部１０１ｃ（すなわち、突起１０３）の幅ｌ２よりも狭い。そして、立ち上がり部１０２の幅ｌ１は、包装箱を組み立てた際の下部第１内フラップ１７と、下部第２内フラップ２１との対向距離に相当する（図２参照。）。すなわち、下部第１内フラップ１７と、下部第２内フラップ２１とが対向することによってできる隙間２０１の幅は、前記立ち上がり部１０２の幅ｌ１にほぼ等しい。
【００３０】
押し込みピース１の大きさは、次のようになる。立ち上がり部１０２は、下部第１内フラップ１７と、下部第２内フラップ２１との隙間２０１に相当する幅で、突起１０３は、それよりも幅広で、片手の指複数本を当接できる程度の大きさであればよい。
【００３１】
図４、図５に示すように、押し込みピース１は、使用者が包装箱の外側から内側に向かって押し込むことにより、始端１０１ａと終端１０１ｅとを結ぶ線を山折線として、箱内部に折れ曲がる。その際、立ち上がり部１０２の両端つまり直線部１０１ｂ、１０１ｄが、下部第１内フラップ１７、下部第２内フラップ２１の対向する端辺と摺接する。
【００３２】
また、上述したように、押し込みピース１における突起１０３は、下部第１内フラップ１７と、下部第２内フラップ２１との隙間２０１よりも幅広である。このため、押し込まれる際に隙間２０１の幅以上の部分は撓んで、この隙間２０１を通過した後、もとに戻る。
【００３３】
したがって、使用者が押し込みピース１を箱内部に押し込むと、前記直線部１０１ｂ、１０１ｄと、内フラップ１７、２１の端辺との摩擦力で立ち上がり部１０２が固定される。これとともに、突起１０３における直線部１０１ｂ、１０１ｄと隣接する曲線部１０１ｃが、内フラップ１７、２１の面と摺接する。したがって、使用者が押し込みピース１から指を離しても、押し込みピース１は立ち上がった状態で保持される。仮に、立ち上がり部１０２が元の位置に戻ろうとしても突起１０３は、その幅が隙間２０１よりも広いため、隙間２０１を通過することができない。つまり、突起１０３が楔となって、押し込みピース１が元の位置に戻るのを阻止する。立ち上がり部１０２の摩擦固定及び、隙間２０１の幅よりも幅広な突起１０３により、使用者が押し込みピース１から指を離しても、押し込みピース１は元に戻ることなく、立ち上がった状態を保持する（図４、図５参照。）。
【００３４】
なお、本実施形態では、立ち上がり部１０２の幅は、下部第１内フラップ１７と、下部第２内フラップ２１との隙間２０１に相当する幅としたが、本発明はこれに限らず、立ち上がり部１０２の幅は、隙間２０１の幅よりも細くもの、すなわち、立ち上がり部１０２と内フラップ１７，２１の端辺とが摺接しないものであってもよい。立ち上がり部１０２の幅が細くても、突起１０３が楔となって、押し込みピース１は立ち上がった状態で保持されるからである。立ち上がり部１０２が、隙間２０１に対向する位置に配置される点は変わらない。
【００３５】
次に、包装箱の収納品の取り出しについて説明する。
【００３６】
例えば、底面に対向する面を開口部とした包装箱に、直方体の物品が縦３列横２列の６個で２段、隙間なく梱包されている。この場合、上段は、包装箱を開口した状態で、箱の角部分を少し切り裂くなどして、収納された物品に指をかける空間を作り出すことができるが、下段は、物品に指をかける空間を作り出すことができない。
【００３７】
そこで、使用者は、上段の物品を取り出した後、包装箱を傾ける、もしくは、いったん側面を底にし、底面が側面になるように立てて置く。そして、底面に設けられた押し込みピース１、１´を箱内部に、指で押し込む。すると、図５で示したように、押し込みピース１の直上の物品が、押し込みピース１によって底面を押されて、押し込みピース１の高さ分だけ飛び出すことになる。次に、使用者は、再度、包装箱を、開口部を上方に、底面を底にして置き直し、飛び出した物品から取り出す。この飛び出した物品を取り出すことにより、もともとその物品があった空間に手を入れることができるようになるため、隣接する残り５つの物品も簡単に取り出すことができる。
【００３８】
また、上述したように、押し込みピース１、１´は、箱内部で立ち上がった状態で固定されるものであるから、押し込みピース１、１´から指を離したり、包装箱の向きを元に戻しても、収納された物品を飛び出した状態で維持することができる。
【００３９】
なお、収納される物品は、あまり重いものであると、押し込みピース１、１´を指で押し込んだ際に、指の押し込み力では物品を押し上げることができない可能性がある。また、押し込みピース１、１´は、上述したように、押し込んだ状態で固定されるとしても、物品の重さで折れ曲がったり、元に戻ってしまう可能性もある。したがって、収納される物品は、指で押し上げられる程度の重さのものが向いている。
【００４０】
このように、収納物が隙間なく複数段重ねられて、包装箱内に収納される形態であっても、２段目以下の下段に収納された収納物を、押し込みピース１、１´を用いることにより、容易に取り出すことができる。
【００４１】
次に、押し込みピースの他の例として、第２の実施形態について説明する。
【００４２】
図６は、本発明の第２の実施形態における包装箱のブランクシートの平面図である。
【００４３】
第１の実施形態と同じ機能を有する箇所については、同じ番号を付し、説明を省略する。
【００４４】
図６に示すように、本実施形態における押し込みピース１０は、スコアＳ１２の中心部分で、スコアＳ１２をまたいで、第１の長さ面１２から下部第１外フラップ１９に延びて形成されている。同じく、押し込みピース１０´は、スコアＳ１４の中心部分で、スコアＳ１４をまたいで、第２の長さ面１４から下部第２外フラップ２３に延びて形成されている。
【００４５】
図７に示すように、包装箱の状態では、押し込みピース１０、１０´は、底面と側面との辺（稜線）を中心として底面と側面にわたって形成されていることが理解できる。以下に、その形を具体的に説明する。
【００４６】
図８は、第２の実施形態における押し込みピースを示す部分平面図である。
【００４７】
図９は、押し込みピース１０を押し込んだ状態を示す斜視図である。
【００４８】
本実施形態の押し込みピース１０は、次の４本の切り込み線４０２ａ、４０２ｂ、４０２ｃ、４０２ｄによって、その輪郭が形成される。図８に示すように、切り込み線４０２ａは、スコアＳ１２上の始端４０１ａから下部第１外フラップ１９上の終端４０１ｂまで伸びる。切り込み線４０２ｂは、スコアＳ１２上の始端４０１ａから第１の長さ面１２上の終端４０１ｃまで伸びる。切り込み線４０２ｃは、スコアＳ１２上で、前記始端４０１ａから一定距離空けた位置にある始端４０１ｄから、前記切り込み線４０２ａと平行に、下部第１外フラップ１９上の終端４０１ｅまで伸びる。切り込み線４０２ｄは、始端４０１ｄから、前記切り込み線４０２ｂと平行に、第１の長さ面１２上の終端４０１ｆまで伸びる。
【００４９】
図７、図８に示すように、押し込みピース１０は、スコアＳ１２を中央として、下部第１外フラップ１９上、第１の長さ面１２上に略四角形の輪郭を有する。始端４０１ａ、４０１ｄは、段ボールと繋がっている必要はなく、切り込み線４０２ａ、４０２ｂは連続し、切り込み線４０２ｃ、４０２ｄは連続している。また、切り込み線４０２ａ、４０２ｂ、４０２ｃ、４０２ｄは、それぞれほぼ同じ長さである。
【００５０】
一方の切り込み線４０２ａ、４０２ｂから他方の切り込み線４０２ｃ、４０２ｄまでの距離が、押し込みピース１０の幅ｍとなる。この幅ｍは、図８に示すように、対向する内フラップ２１、２３間の距離ｌ１にほぼ等しい。
【００５１】
そして、下部第１外フラップ１９上の終端４０１ｂと４０１ｅとをつなぐ線の中央には、幅ｍよりも短い長さの切り込み線４０３ａが形成されている。また、切り込み線４０２ａの中央と、切り込み線４０２ｃの中央とをつなぐ線の中央には、切り込み線４０３ａと平行に、同じ長さの切り込み線４０３ｂが形成されている。また、スコアＳ１２上の中央には、切り込み線４０３ａ、４０３ｂと平行に、同じ長さの切り込み線４０３ｃが形成されている。さらに、第１の長さ面１２上の終端４０１ｃと４０１ｆをつなぐ線の中央には、切り込み線４０３ａ、４０３ｂ、４０３ｃと平行に、同じ長さの切り込み線４０３ｄが形成されている。
【００５２】
切り込み線４０３ａ、４０３ｂ、４０３ｃ、４０３ｄは、それぞれ押し込みピース１０の幅の一部のみを切り込むものであり、縦の切り込み線４０２ａ、４０２ｂ、４０２ｃ、４０２ｄとは、連続していない。このため、押し込みピース１０は、包装箱から切り離され、分離されることなく、常に一部が包装箱と繋がっている状態である。
【００５３】
なお、切り込み線４０３ａ、４０３ｂ、４０３ｃ、４０３ｄは、押し込みピース１０が、箱内部に押し込まれた際に、折山として折れやすくするためのものである。したがって、切り込みに限らず、他のさまざまな方法により折山加工されていてもよい。
【００５４】
そして、便宜上、切り込みピース１０における、下部第１フラップ１９の切り込み線４０３ａと４０３ｂとに、はさまれる部分を領域４０４ａとし、切り込み線４０３ｂとスコアＳ１２とに、はさまれる部分を領域４０４ｂとし、第１の長さ面１２のスコアＳ１２と切り込み線４０３ｃとに、はさまれる部分を領域４０４ｃとする。
【００５５】
次に、押し込みピース１０を押し込んだ状態について説明する。
【００５６】
図９に示すように、包装箱の底面と側面との稜線に位置する押し込みピース１０を、使用者は、稜線部分（スコアＳ１２上）を指で押して箱内部に押し込む。すると、押し込みピース１０は、箱内部でステップ状になり、収納された物品３０１を押し上げることになる。
【００５７】
押し込みピース１０が箱内部に押し込まれ、ステップ状となる点について、箱内部から見た図９とともに、具体的に説明する。
【００５８】
底面（下部第１外フラップ１９側）は、終端４０１ｂ、４０１ｅを結ぶ線（切り込み線４０３ａ）を谷折線（箱の外側から見た場合は山折線）として、領域４０４ａが底面に対して立ち上がる。次にスコアＳ１２（切り込み線４０３ｃ）を山折線（箱の外側から見た場合は谷折線）として領域４０４ｃが底面に平行な方向に折れ曲がる。一方、側面（第１の長さ面１２側）は、終端４０１ｃ、４０１ｆを結ぶ線（切り込み線４０３ｄ）を谷折線（箱の外側から見た場合は山折線）として、領域４０４ｃが箱内部に押し込まれ、底面と平行な方向に箱内部に伸びる段となる。
【００５９】
つまり、押し込みピース１０を箱内部に押し込むと、スコアＳ１２を頂辺として、領域４０４ｃを物品との当接面とするステップを箱内部に形成することとなる（図９参照。）。
【００６０】
上述したように、押し込みピース１０の幅ｍは、内フラップ１７、２１間の距離ｌ１とほぼ同じである。したがって、押し込みピース１０を箱内部に押し込むと、内フラップ１７、２１の対向する端辺と、押し込みピース１０の切り込み線４０２ａ、４０２ｃに対応する端辺とが摺接し、摩擦力によって、領域４０４ａ、４０４ｂが立ち上がった状態で固定される。これにより、使用者が押し込みピース１０から指を離しても押し込みピース１０は元の位置に戻らない。
【００６１】
このように、押し込みピース１０を押し込むことにより、収納の物品を押し上げるため、第１の実施形態と同様に、押し上げによって飛び出した物品を使用者は容易に包装箱から取り出すことができる。
【００６２】
本実施形態の押し込みピース１０は、箱内部でステップとなり、段の面で面接触して物品を押し上げることになるので、物品をより安定して押し上げ固定することができる。
【００６３】
また、本実施形態において、押し込みピース１０の幅は、指数本分以上あればよい。
【００６４】
また、図６に示すように、包装箱において、フラップの長さＮが、内フラップ、外フラップともに同じである方が、ブランクシートの形状が複雑にならず、打ち抜きによる無駄な部分も発生しないので好ましい。そうすると、包装箱の長手方向が短手方向に比して比較的長い場合、対向する内フラップ間の距離ｌ１は長くなる。第２の実施形態の押し込みピース１０は箱内部でステップを形成するものであるから、押し込みピース１０の幅ｍが広くなっても、両手で押し込むなどして力を加えやすい。
【００６５】
なお、第１の実施形態、第２の実施形態ともに、対向する内フラップ間の隙間に、押し込みピースが係合することにより、押し込みピースを押し込まれた状態で維持するものである。したがって、内フラップと何らかの係合ができれば、押し込みピースの形状は、いかなるものであってもよい。特に第１の実施形態における突起は、矢じり状など、さまざまな形であってよい。一方、内フラップ間の距離をある程度以下とするために、包装箱の形によっては、内フラップの長さと外フラップの長さが異なるものであってもよい。
【００６６】
また、押し込みピースは、２つの外フラップにそれぞれ設ける必要はなく、いずれか一方だけでもよい。
【００６７】
また、包装箱は、直方体や立方体の箱を複数個、収納するものを説明したが、収納する物品はこれに限らず、包装箱内部に隙間なく入るものであれば、複数個に限らず、一個であってもよい。
【００６８】
さらに、本発明は、その特許請求の範囲に記載された事項のみから解釈されるべきものであり、上述した実施形態においても、本発明の概念に包括されるあらゆる変更や修正が記載した事項以外に可能である。
【符号の説明】
【００６９】
１    第１の実施形態における押し込みピース
１０  第２の実施形態における押し込みピース
１１  第１の幅面
１２  第１の長さ面
１３  第２の幅面
１４  第２の長さ面
１５  継ぎしろ
１６  上部第１内フラップ
１７  下部第１内フラップ
１８  上部第１外フラップ
１９  下部第１外フラップ
２０  上部第２内フラップ
２１  下部第２内フラップ
２２  上部第２外フラップ
２３  下部第２外フラップ
１０１  切り込み線
１０１ａ  始端
１０１ｂ  直線部
１０１ｃ  曲線部
１０１ｄ  直線部
１０１ｅ  終端
１０２  立ち上がり部
１０３  突起
２０１  対向する内フラップ間の隙間
３０１  包装箱内に収納される物品
【図１】
2015229507.tif 000003
【図２】
2015229507.tif 000004
【図３】
2015229507.tif 000005
【図４】
2015229507.tif 000006
【図５】
2015229507.tif 000007
【図６】
2015229507.tif 000008
【図７】
2015229507.tif 000009
【図８】
2015229507.tif 000010
【図９】
2015229507.tif 000011